(57)【要約】【課題】立ちはぜ折板屋根Ｒの上に緑化基盤材５０を容易にかつ安定した姿勢で取り付ける。【解決手段】立ちはぜ突条４の頂部に固定した固定装置２０を利用して屋根勾配方向に直交する方向に所要本数の第１の棒部材１０を取り付ける。緑化基盤材５０は、裏面に、立ちはぜ突条４および固定装置２０が入り込む第１の凹溝５２と第１の凹溝５２に直交し第１の棒部材１０が入り込む第２の凹溝５３を有している。緑化基盤材５０は、第１の凹溝１０に立ちはぜ突条４および固定装置２０を入り込ませ、第２の凹溝５３に第１の棒部材１０を入り込ませ、かつ裏面の一部を折板屋根の山形部の水平な頂面２２に面接触した状態で立ちはぜ折板屋根面Ｒに固定される。緑化基盤材５０を利用して植物Ｐを生育する。【選択図】図４
2013072265.tif 000002
【特許請求の範囲】
【請求項１】
立ちはぜ折板屋根の山形部の上に緑化基盤材を固定する固定構造であって、
立ちはぜ突条の頂部を利用して屋根勾配方向に直交する方向に１本または２本以上の第１の棒部材が取り付けられており、
前記緑化基盤材は裏面に前記立ちはぜ突条が入り込む第１の凹溝と該第１の凹溝に直交し前記第１の棒部材が入り込む第２の凹溝を有しており、
前記緑化基盤材は、前記第１の凹溝に前記立ちはぜ突条を入り込ませ前記第２の凹溝に前記第１の棒部材を入り込ませかつ裏面の一部を折板屋根の山形部の水平な頂面に接した状態で立ちはぜ折板屋根面に固定されている、
ことを特徴とする立ちはぜ折板屋根への緑化基盤材の固定構造。
【請求項２】
前記第１の棒部材には屋根勾配方向に１本または２本以上の第２の棒部材が取り付けられており、前記緑化基盤材は裏面側に第３の凹溝を有しており、緑化基盤材は該第３の凹溝に前記第２の棒部材を入り込ませた状態で立ちはぜ折板屋根面に固定されていることを特徴とする請求項１に記載の立ちはぜ折板屋根への緑化基盤材の固定構造。
【請求項３】
前記棒部材は金属棒であることを特徴とする請求項１または２に記載の立ちはぜ折板屋根への緑化基盤材の固定構造。
【発明の詳細な説明】
【技術分野】
【０００１】
本発明は、立ちはぜ折板屋根への緑化基盤材の固定構造に関する。
【背景技術】
【０００２】
屋内の温度上昇を抑制しかつ景観を向上させる等の目的で、屋根の上に植物を育成することが行われる。折板屋根の上に植物を育成することも行われており、特許文献１には、金網等で作られる底網と側網とからなるコンテナを折板屋根に取り付けられているボルトを利用して折板屋根に固定し、その中に、遮熱材、緑化基盤材、蓋網などを収容するようにした緑化構造が記載されている。また、特許文献２には、立ちはぜ折板屋根の山形部の頂部に形成される突条（立ちはぜ）にクランプを固定し、そのクランプを利用して平板状の発泡樹脂製断熱板を取り付けて折板屋根面を平坦面とし、その発泡樹脂製断熱板の上に前記クランプに立設した支柱を利用して緑化基盤材を固定し、固定した緑化基盤材の上に植物を育成するようにした緑化構造体が記載されている。
【先行技術文献】
【特許文献】
【０００３】
【特許文献１】特開２００８−１２５３８７号公報
【特許文献２】特開２００８−４５３２４号公報
【発明の開示】
【発明が解決しようとする課題】
【０００４】
特許文献１に記載のよう、緑化に必要な材料である、遮熱材、緑化基盤材、蓋網などを折板屋根に固定したコンテナに収容して緑化構造体とすることは、緑化基盤材等の安定化が図られるともに、施工が容易化される利点がある。しかし、特許文献２に記載されるような立ちはぜ折板屋根の緑化構造に特許文献１に記載の緑化構造体を適用しようとすると、緑化構造体の荷重は立ちはぜ折板屋根の山形部の頂部に形成される突条（立ちはぜ）の頂部のみによって支持されることとなり、金網等で作られるコンテナに変形が生じやすくなる。そのために、金網みの編み目を細かくするあるいは径の太い針金を用いるなどによって、コンテナに大きな強度を持たせることが必要となり、コンテナに係る経費が増大する。一方、特許文献２に記載の緑化構造体では、立ちはぜ突条に固定したクランプを利用して発泡樹脂製断熱板を取り付けて折板屋根面を平坦面とし、その上に緑化基盤材を固定するようにしているので、緑化基盤材の姿勢の安定化は確保できるが、折板屋根面を平坦面とするために発泡樹脂製断熱板を配置することが必要であり、施工がやや複雑化している。
【０００５】
本発明は、上記のような事情に鑑みてなされたものであり、立ちはぜ折板屋根の上に緑化基盤材を固定する固定構造において、施工が容易でありながら緑化基盤材の安定した取り付け姿勢を得ることのできる固定構造を開示することを課題とする。
【課題を解決するための手段】
【０００６】
本発明による、立ちはぜ折板屋根の山形部の上に緑化基盤材を固定する固定構造は、立ちはぜ突条の頂部を利用して屋根勾配方向に直交する方向に１本または２本以上の第１の棒部材が取り付けられており、前記緑化基盤材は裏面に前記立ちはぜ突条が入り込む第１の凹溝と該第１の凹溝に直交し前記第１の棒部材が入り込む第２の凹溝を有しており、前記緑化基盤材は、前記第１の凹溝に前記立ちはぜ突条を入り込ませ前記第２の凹溝に前記第１の棒部材を入り込ませかつ裏面の一部を折板屋根の山形部の水平な頂面に接した状態で立ちはぜ折板屋根面に固定されていることを特徴とする。
【０００７】
上記の固定構造では、緑化基盤材は、その裏面を折板屋根の山形部の水平な頂面に接した状態で立ちはぜ折板屋根面に固定されており、その取り付け姿勢は極めて安定した姿勢となる。また、緑化基盤材は、立ちはぜ突条の頂部を利用して屋根勾配方向に直交する方向に取り付けられた第１の棒部材を、その裏面に形成した第２の凹溝に入り込ませた姿勢で立ちはぜ折板屋根面に固定されており、施工時や施工後において、屋根勾配方向へ緑化基盤材が移動するのも確実に阻止できる。そのために、取り付けの安定性とともに施工の容易性も確保される。従来技術のように、立ちはぜ折板屋根面を平坦面とするために平板状の樹脂製断熱板を用いることも要しないので、このことからも施工の容易性も確保される。さらに、第１の棒部材には上方から大きな集中荷重が掛かることはないので、径の細い材料を第１の棒部材として用いることが可能であり、材料費の低減ももたらされる。
【０００８】
本発明による立ちはぜ折板屋根への緑化基盤材の固定構造の一態様では、前記第１の棒部材には屋根勾配方向に１本または２本以上の第２の棒部材が取り付けられており、前記緑化基盤材は裏面側に第３の凹溝を有しており、緑化基盤材は該第３の凹溝に前記第２の棒部材を入り込ませた状態で立ちはぜ折板屋根面に固定されている。
【０００９】
この態様では、屋根勾配方向に直交する方向での緑化基盤材の移動も前記第２の棒部材によって阻止されるので、緑化基盤材の取り付け姿勢はさらに安定したものとなる。なお、前記第２の棒部材は、立ちはぜ突条に対応する位置で前記第１の棒部材に取り付けられていてもよく、その場合には、前記第２の凹溝が前記第３の凹溝としての機能も果たすことができるので、第３の凹溝を省略することもできる。
【００１０】
本発明において、前記棒部材は任意の材料であってよいが、作業の容易性と経済性に加え所要の強度を保持していることから、金属棒例えば針金であることは特に好適である。
【発明の効果】
【００１１】
本発明によれば、立ちはぜ折板屋根の上に緑化基盤材を固定する固定構造において、施工が容易でありながら緑化基盤材の安定した取り付け姿勢が得られる緑化基盤材の固定構造が提供される。
【図面の簡単な説明】
【００１２】
【図１】本発明による立ちはぜ折板屋根への緑化基盤材の固定構造の一例を示す図。
【図２】各部材を立ちはぜを利用して固定するための固定装置の一例を説明する図。
【図３】本発明で用いる緑化基盤材を裏面側から見て示す図。
【図４】本発明による固定構造を用いて折板屋根へ固定された緑化構造を説明する図。
【発明を実施するための形態】
【００１３】
以下、本発明を実施の形態に基づき説明する。図１および図４において、Ｒは立ちはぜ折板屋根であり、屋根勾配方向Ｘに直交するＹ方向での断面を示している。立ちはぜ折板屋根Ｒは、左右の立ち上がり部１，１と、その上端部の水平な頂面２，２と、該頂面２の先端から垂直に立ち上がる立ちはぜ部３，３とを備えた長尺状の屋根板５を、隣接する屋根板５，５の立ちはぜ部３，３同士を係合（はぜ継ぎ）しながら、梁（不図示）の上に取り付け具を用いて固定するようにして形成されている。本発明において、左右の立ち上がり部１，１の上端部の水平な頂面２，２で形成される部分を山形部の水平な頂面２と呼び、立ちはぜ部３，３同士の係合部を立ちはぜ突条４と呼ぶ。
【００１４】
本発明による緑化基盤材の固定構造では、前記立ちはぜ突条４と折板屋根Ｒの山形部の水平な頂面２，２を利用して緑化基盤材５０を折板屋根Ｒの上に固定する。固定に当たっては、最初に、立ちはぜ突条４の頂部を利用して屋根勾配方向Ｘに直交する方向Ｙに、針金等である１本または２本以上の第１の棒部材１０を取り付ける。第１の棒部材１０の立ちはぜ突条４の頂部への取り付けは適宜の方法で行えばよいが、この実施の形態では、図２に示す固定装置２０を用いている。
【００１５】
以下に、固定装置２０をその取り付け方法と共に説明する。固定装置２０は、立ちはぜ突条４を左右から挟持できる一対のクランプ片２１ａ、２１ｂを有し、固定に当たっては、図１に示すように、前記一対のクランプ片２１ａ、２１ｂで立ちはぜ突条４を挟持した姿勢とする。そして、双方の水平な天面２２、２２に形成した開口２３、２３を通して、固定用ボルト２４を立設し、該固定用ボルト２４をナット２５により締め付ける。それにより、一対のクランプ片２１ａ、２１ｂは立ちはぜ突条４に堅固に固定されるとともに、そこから固定用ボルト２４が垂直に立設した状態となる。
【００１６】
同様にして、折板屋根Ｒの立ちはぜ突条４に対して適数の固定装置２０を取り付ける。図に示す例では、固定装置２０を、１つおきの立ちはぜ突条４のそれぞれに屋根勾配方向Ｘの方向に所定の距離をおいて多段に取り付けており、各段での固定装置２０は屋根勾配方向Ｘに直交するＹ方向に一直線上に整列するようにされている。
【００１７】
そのようにして固定した前記Ｙ方向に整列する複数個の固定装置２０を用いて、前記した第１の棒部材１０を取り付ける。取り付けに当たっては、第１の棒部材１０を、Ｙ方向に整列している複数個の固定装置２０にそれぞれ立設している各固定用ボルト２４を利用して仮係止する。その上から、図２に示す係止具３０を取り付ける。図２に示すよう、係止具３０は箱型であり、４つの側壁３１と天面３２を有している。対向する２つの側壁には第１の係止溝３３が形成されており、天面３２には開口３４が形成されている。なお、図２に示す係止具３０は、第１の係止溝３３を形成した側壁と直交する２つの側壁に第２の係止溝３５が形成されているが、これは後記するように、第２の棒部材１１を固定するときに用いられる。
【００１８】
前記のように第１の棒部材１０を仮係止した後、前記係止具３０をその天面３２に形成した開口３４に前記固定用ボルト２４を通過させながら落とし込む。それにより、仮係止された第１の棒部材１０は係止具３０に形成した第１の係止溝３３内に入り込んだ姿勢となる。その状態でナット２６を締め付けることで、第１の棒部材１０は立ちはぜ突条４の頂部を利用してしっかりと固定された状態となる。
【００１９】
第１の棒部材１０に屋根勾配方向の１本または２本以上の第２の棒部材１１を取り付けた格子状の枠材を用いることもできる。その際に、前記第２の棒部材１１は、第１の棒部材１０における前記Ｙ方向のどの位置に取り付けられていてもよいが、折板屋根Ｒの立ちはぜ突条４に沿う位置に取り付けられる場合には、固定時に、係止具３０に形成した前記第２の係止溝３５内に第２の棒部材１１が入り込んだ姿勢で、第１の棒部材１０と同時に第２の棒部材１１も、立ちはぜ突条４を利用して固定されることとなる。
【００２０】
次に、緑化基盤材５０を立ちはぜ折板屋根に取り付ける。緑化基盤材５０は基本的に従来の屋上緑化で用いられているものであってよく、この例では型内発泡樹脂成形品であって、表面側には貯水用空所５１が多数形成されている。図３に示すように、裏面には、立ちはぜ折板屋根上に配置したときに、前記立ちはぜ突条４とそこに固定した前記固定装置２０（および図示の例では第２の棒部材１１）が入り込むことのできる第１の凹溝５２が所要本数だけ形成されている。さらに、第１の凹溝５２に直交するようにして、前記した第１の棒部材１０が入り込むことのできる第２の凹溝５３が所要本数だけ形成されている。第１の凹溝５２および第２の凹溝５３の深さは、緑化基盤材５０を立ちはぜ折板屋根上に配置したときに、その裏面が折板屋根の山形部の水平な頂面２、２に接した状態となり得る深さとされている。
【００２１】
図示の緑化基盤材５０は、必須ではないが、前記第１の凹溝５２近傍の裏面部分に、適数のスリット５４を排水溝として備えている。スリット５４は、緑化基盤材５０がその裏面を折板屋根の山形部の水平な頂面２、２に接した姿勢とされたときに、その頂面２，２を外れた位置まで達する長さとされている。また、必須ではないが、図示の例では、緑化基盤材５０を立ちはぜ折板屋根上に配置したときに、立ちはぜ突条４に固定された固定装置２０に立設した固定用ボルト２４に対向する位置に、該ボルトが貫通することのできる貫通孔５５（図１）が形成されている。
【００２２】
緑化基盤材５０の取り付けに当たっては、第１の凹溝５２内に立ちはぜ突条４を、第２の凹溝５３内に第１の棒部材１０を、また貫通孔５５に前記立設した固定用ボルト２４を、それぞれ入り込ませた状態で、立ちはぜ折板屋根の上に配置する。そのときに、緑化基盤材５０の裏面の一部は、折板屋根Ｒの山形部の水平な頂面２、２に接した状態となり、安定した姿勢が得られる。そして、留め付けナット２７（図２）を固定用ボルト２４に留め付けることで、すべての固定作業は終了する。
【００２３】
植生に当たっては、緑化基盤材５０の上に図示しない適宜の植裁マット等を置き、その上に図示しない飛散防止マットを取り付けた状態で、所要の散水等を行えばよい。それにより、図４に示すように、緑化基盤材５０の上には植物Ｐが生育する。植生中、緑化基盤材５０の裏面が折板屋根の山形部の水平な頂面２、２に接した領域に水が入り込むことがあるが、入り込んだ水は前記したスリット５４を通って頂面２の外に排除されるので、山形部の頂面２、２に腐食が生じるのは回避できる。
【００２４】
本発明による立ちはぜ折板屋根への緑化基盤材５０の固定構造においては、前記した第１の棒部材１０と、配置する場合での第２の棒部材１１とが、裏面に形成した第２の凹溝５３および第３の凹溝（前記したように、図示の例では第１の凹溝５２がこれを兼ねている）内に入り込んでいるので、緑化基盤材５０の屋根面方向での移動は規制される。そのために、もし前記した飛散防止マット等の手段で緑化基盤材５０が浮き上がり方向へ移動するのを規制できる場合には、固定用ボルトとして長さの短いものを用いて係止具３０により第１の棒部材１０のみを固定するようにし、留め付けナット２７による緑化基盤材５０の固定を省略するか、または固定箇所の数を少なくすることができる。その場合、前記貫通孔５５を省略するかまたは数を少なくすることができるので、全体の構成を簡素化することができる。
【００２５】
また、緑化基盤材５０にかかる上からの荷重は、緑化基盤材５０の裏面が折板屋根の山形部の水平な頂面２、２と面接触する広い領域で面荷重として受け止められるので、上からの荷重に対する緑化基盤材５０の安定性も得られる。換言すれば、第１の棒部材１０および第２の棒部材１１には上からの集中荷重が作用することはないので、径の細い針金等であっても所要の強度を備えることができ、また第１の棒部材１０および第２の棒部材１１のピッチも広く取ることができる。それにより材料費の低減ももたらされる。
【符号の説明】
【００２６】
Ｒ…立ちはぜ折板屋根、
Ｐ…植物、
２…山形部の水平な頂面、
３…立ちはぜ部、
４…立ちはぜ突条、
５…屋根板、
１０…第１の棒部材、
１１…第２の棒部材、
２０…固定装置、
２１ａ，２１ｂ…一対のクランプ片、
２４…固定用ボルト、
３０…係止具、
５０…緑化基盤材、
５１…貯水用空所、
５２…第１の凹溝（第３の凹溝を兼ねる）、
５３…第２の凹溝、
５４…排水溝として機能するスリット。
【図１】
2013072265.tif 000003
【図２】
2013072265.tif 000004
【図３】
2013072265.tif 000005
【図４】
2013072265.tif 000006